【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
発光部を有し、カメラに着脱可能なアクセサリーであって、
前記カメラから電力が供給される電源端子と、前記カメラに出力信号を出力する信号出力端子と、前記発光部の発光状態を制御する発光制御信号が前記カメラから入力される発光制御信号入力端子とを含む複数の端子と、
前記電源端子に対応する接地部と、を備え、
前記電源端子は、前記複数の端子の配列方向における一方側の端に配置されており、
前記信号出力端子は、前記電源端子に対して、前記複数の端子の配列方向における他方側に配置されており、
前記発光制御信号入力端子は、前記複数の端子の配列方向において、前記電源端子と前記接地部との間に配置されており、
前記接地部は、前記信号出力端子よりも前記電源端子から離れた位置に配置されている
ことを特徴とするアクセサリー。
【請求項２】
前記接地部は接地端子を含み、
前記接地端子は、前記複数の端子の配列方向における他方側の端に配置されており、
前記信号出力端子は、前記複数の端子の配列方向において、前記電源端子と前記接地端子との間に配置されている、
ことを特徴とする請求項１に記載のアクセサリー。
【請求項３】
前記電源端子と前記接地端子の何れか一方、または前記電源端子と前記接地端子のそれぞれは、前記配列方向に順に並んで独立に配置された２つの端子を含む
ことを特徴とする請求項２に記載のアクセサリー。
【請求項４】
前記電源端子および前記発光制御信号入力端子のそれぞれと電気的に接続された電気回路と、
前記電気回路と絶縁されたオープン端子と、を更に有し、
前記オープン端子は、前記複数の端子の配列方向において、前記電源端子と前記発光制御信号入力端子との間に配置されている
ことを特徴とする請求項２又は請求項３に記載のアクセサリー。
【請求項５】
前記出力信号の基準電位になる基準電位端子を更に有し、
前記基準電位端子は、前記複数の端子の配列方向において、前記接地端子に対し前記信号出力端子と同じ側の、前記接地端子の隣に配置されている
ことを特徴とする請求項２から請求項４の何れか一項に記載のアクセサリー。
【請求項６】
前記複数の端子は、それぞれ、線形状を備えており、且つ前記線形状の先端部において前記カメラの端子と接続される
ことを特徴とする請求項１から請求項５の何れか一項に記載のアクセサリー。
【請求項７】
前記カメラの接地部が設けられているアクセサリーシューに対して着脱可能であり、且つ前記複数の端子を有する端子部を備えたコネクター部を備え、
前記接地部は、前記コネクター部において、前記端子部とは異なる部位に設けられており、且つ前記コネクター部が前記アクセサリーシューに装着された状態において前記カメラの接地部と接する
ことを特徴とする請求項１に記載のアクセサリー。
【請求項８】
前記複数の端子は、前記出力信号の基準電位になる基準電位端子を含み、
前記基準電位端子は、前記複数の端子の配列方向における他方側の端に寄せて配置されており、前記接地部としても機能する
ことを特徴とする請求項１に記載のアクセサリー。
【請求項９】
前記複数の端子は、前記接地部である接地端子を含み、
前記電源端子の幅と前記接地端子の幅の一方または双方は、前記信号出力端子の幅よりも広い
ことを特徴とする請求項１に記載のアクセサリー。
【請求項１０】
前記複数の端子は、それぞれ、線形状を備えている
ことを特徴とする請求項９に記載のアクセサリー。
【請求項１１】
前記複数の端子のうち前記配列方向の端から順に並ぶ一対の端子は、互いに電気的に接続されている
ことを特徴とする請求項９又は請求項１０に記載のアクセサリー。
【請求項１２】
前記電源端子は、前記カメラにおいて前記電源端子に対応する第１対応端子と接触する第１の接触部を含み、
前記信号出力端子は、前記カメラにおいて前記信号出力端子に対応する第２対応端子と接触する第２の接触部を含み、
前記第１の接触部における前記電源端子の幅は、前記第２の接触部における前記信号出力端子の幅より広い
ことを特徴とする請求項９から請求項１１の何れか一項に記載のアクセサリー。
【請求項１３】
前記第１の接触部における前記電源端子と前記第１対応端子との接触抵抗は、前記第２の接触部における前記信号入力端子と前記第２対応端子との接触抵抗より低い
ことを特徴とする請求項１２に記載のアクセサリー。
【請求項１４】
前記電源端子の幅および前記信号入力端子の幅は、それぞれ、前記複数の端子の配列方向の寸法である
ことを特徴とする請求項９から請求項１３の何れか一項に記載のアクセサリー。
【請求項１５】
発光部を有するアクセサリーを制御する制御信号を前記アクセサリーに供給するカメラであって、
前記アクセサリーに電力を供給する電源端子と、前記電源端子に対応する接地端子と、前記アクセサリーに前記制御信号を出力する信号出力端子と、前記アクセサリーに前記発光部の発光状態を制御する発光制御信号を出力する発光制御信号出力端子とを含む複数の端子を備え、
前記電源端子は、前記複数の端子の配列方向における一方側の端に配置されており、
前記接地端子は、前記複数の端子の配列方向における他方側の端に配置されており、
前記信号出力端子は、前記複数の端子の配列方向において、前記電源端子と前記接地端子との間に配置されており、
前記発光制御信号出力端子は、前記複数の端子の配列方向において、前記電源端子と前記接地端子との間に配置されている
ことを特徴とするカメラ。
【請求項１６】
発光部を有するアクセサリーを着脱可能なカメラであって、
前記アクセサリーに電力を供給する電源端子と、前記アクセサリーから入力信号が入力される信号入力端子と、前記アクセサリーに前記発光部の発光状態を制御する発光制御信号を出力する発光制御信号出力端子とを含む複数の端子と、
前記電源端子に対応する接地部と、を備え、
前記電源端子は、前記複数の端子の配列方向における一方側の端に配置されており、
前記信号入力端子は、前記電源端子に対して、前記複数の端子の配列方向における他方側に配置されており、
前記光制御信号出力端子は、前記複数の端子の配列方向において、前記電源端子と前記接地部との間に配置されており、
前記接地部は、前記信号入力端子よりも前記電源端子から離れた位置に配置されている
ことを特徴とするカメラ。
【請求項１７】
発光部を有するアクセサリーが着脱されるアクセサリーシューであって、
前記アクセサリーに電力を供給する電源端子と、前記アクセサリーから入力信号が入力される信号入力端子と、前記アクセサリーに前記発光部の発光状態を制御する発光制御信号を出力する発光制御信号出力端子とを含む複数の端子と、
前記電源端子に対応する接地部と、を備え、
前記電源端子は、前記複数の端子の配列方向における一方側の端に配置されており、
前記信号入力端子は、前記電源端子に対して、前記複数の端子の配列方向における他方側に配置されており、
前記光制御信号出力端子は、前記複数の端子の配列方向において、前記電源端子と前記接地部との間に配置されており、
前記接地部は、前記信号入力端子よりも前記電源端子から離れた位置に配置されている
ことを特徴とするアクセサリーシュー。
【請求項１８】
発光部を有するアクセサリーをカメラに対して着脱可能なコネクターであって、
前記カメラから電力が供給される電源端子と、前記カメラに出力信号を出力する信号出力端子と、前記発光部の発光状態を制御する発光制御信号が前記カメラから入力される発光制御信号入力端子とを含む複数の端子と、
前記電源端子に対応する接地部と、を備え、
前記電源端子は、前記複数の端子の配列方向における一方側の端に配置されており、
前記信号出力端子は、前記電源端子に対して、前記複数の端子の配列方向における他方側に配置されており、
前記発光制御信号入力端子は、前記複数の端子の配列方向において、前記電源端子と前記接地部との間に配置されており、
前記接地部は、前記信号出力端子よりも前記電源端子から離れた位置に配置されている
ことを特徴とするコネクター。